【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
（ａ）一般式（ＩＩＩ）：
【化１】
2010506720.tif 000001
〔式中、Ｒ１は、基１個あたり約２〜約８個の平均分枝を有する、飽和または不飽和の分枝状Ｃ６〜２２基であり、ｎは０〜約１００の値を表す〕
で示される化合物、および
（ｂ）一般式（ＩＶ）：
【化２】
2010506720.tif 000002
〔式中、Ｒ２は飽和または不飽和のＣ８〜１６基であり、ｘおよびｙはそれぞれ０〜１００の値を表し、ｘとｙの合計は少なくとも１〜１００の値を表す〕
で示される化合物
を含んでなる界面活性剤濃縮物。
【請求項２】
ｎは０〜約７５の値を表す、請求項１に記載の界面活性剤濃縮物。
【請求項３】
ｘおよびｙはそれぞれ０〜約７５の値を表し、ｘとｙの合計は少なくとも１〜７５の値を表す、請求項１に記載の界面活性剤濃縮物。
【請求項４】
Ｒ２は約６〜約１４個の炭素原子を含有する、請求項１に記載の界面活性剤濃縮物。
【請求項５】
Ｒ１は主に１３個の炭素原子を含有する、請求項１に記載の界面活性剤濃縮物。
【請求項６】
Ｒ１は、飽和であって、かつ基１個あたり約２〜約４個の平均分枝を有する、請求項１に記載の界面活性剤濃縮物。
【請求項７】
濃縮物の全重量を基準として、成分（ａ）は約１０重量％〜約９９重量％の量で存在し、および成分（ｂ）は約１重量％〜約９０重量％の量で存在する、請求項１に記載の界面活性剤濃縮物。
【請求項８】
一般式（ＩＩＩ）および一般式（ＩＶ）に記載の各化合物について少なくとも１つの末端水素は、メチル基、ブチル基およびベンジル基からなる群から選択されるアルキル基で置換されている、請求項１に記載の界面活性剤濃縮物。
【請求項９】
液体界面活性剤組成物を形成するために、水が添加されている、請求項１に記載の界面活性剤濃縮物。
【請求項１０】
界面活性剤濃縮物は、液体界面活性剤組成物の全重量を基準として約３０重量％〜約９０重量％の量で存在する、請求項９に記載の界面活性剤組成物。
【請求項１１】
凝固点は１５℃未満である 、請求項９に記載の界面活性剤組成物。
【請求項１２】
２５℃での粘度は２０００ｃｐｓ未満である、請求項９に記載の界面活性剤組成物。
【請求項１３】
界面活性剤濃縮物は、乳化重合反応またはポリマー分散液の全重量を基準として約０．３重量％〜約１０重量％の量で乳化重合反応またはポリマー分散液に添加されている、請求項１に記載の界面活性剤濃縮物。
【請求項１４】
一般式（Ｖ）：
【化３】
2010506720.tif 000003
〔式中、Ｒ１は、基１個あたり約２〜約８個の平均分枝を有する、飽和または不飽和の分枝状Ｃ６〜２２基であり、ｎは０〜約１００の値を表し、また、Ａはメチル基、ブチル基およびベンジル基からなる群から選択される〕
で示される化合物、および一般式（ＶI）：
【化４】
2010506720.tif 000004
〔式中、Ｒ２は飽和または不飽和のＣ８〜１６基であり、ｘおよびｙはそれぞれ０〜１００の値を表し、ｘとｙの合計は少なくとも１〜１００の値を表し、また、Ａはメチル基、ブチル基およびベンジル基からなる群から選択される〕
で示される化合物を含む、全重量を基準として約０．３重量％〜約１０重量％の反応生成物をエマルションポリマーまたはポリマー分散液に添加する工程
を含んでなる、エマルションポリマーまたはポリマー分散液の安定化方法。
【請求項１５】
全重量を基準として約０．５重量％〜約５重量％の反応生成物を添加する、請求項１４に記載の方法。
【手続補正２】
【補正対象書類名】明細書
【補正対象項目名】００４０
【補正方法】変更
【補正の内容】
【００４０】
利点、有利な点および問題に対する解決策を特定の実施形態について記載した。利点、有利な点および問題に対する解決策、およびいかなる利点、有利な点、解決策を生じさせ、あるいはより明白とする要因は、いかなる請求項の重要な、必要な、または本質的な特性または要素として解釈されない。
本発明の好ましい態様は、以下を包含する。
［１］  （ａ）一般式（ＩＩＩ）：
【化１】
2010506720.tif 000005
〔式中、Ｒ１は、基１個あたり約２〜約８個の平均分枝を有する、飽和または不飽和の分枝状Ｃ６〜２２基であり、ｎは０〜約１００の値を表す〕
で示される化合物、および
（ｂ）一般式（ＩＶ）：
【化２】
2010506720.tif 000006
〔式中、Ｒ２は飽和または不飽和のＣ８〜１６基であり、ｘおよびｙはそれぞれ０〜１００の値を表し、ｘとｙの合計は少なくとも１〜１００の値を表す〕
で示される化合物
を含んでなる界面活性剤濃縮物。
［２］  ｎは０〜約７５の値を表す、［１］に記載の界面活性剤濃縮物。
［３］  ｘおよびｙはそれぞれ０〜約７５の値を表し、ｘとｙの合計は少なくとも１〜７５の値を表す、［１］に記載の界面活性剤濃縮物。
［４］  Ｒ２は約６〜約１４個の炭素原子を含有する、［１］に記載の界面活性剤濃縮物。
［５］  Ｒ１は主に１３個の炭素原子を含有する、［１］に記載の界面活性剤濃縮物。
［６］  Ｒ１は、飽和であって、かつ基１個あたり約２〜約４個の平均分枝を有する、［１］に記載の界面活性剤濃縮物。
［７］  濃縮物の全重量を基準として、成分（ａ）は約１０重量％〜約９９重量％の量で存在し、および成分（ｂ）は約１重量％〜約９０重量％の量で存在する、［１］に記載の界面活性剤濃縮物。
［８］  一般式（ＩＩＩ）および一般式（ＩＶ）に記載の各化合物について少なくとも１つの末端水素は、メチル基、ブチル基およびベンジル基からなる群から選択されるアルキル基で置換されている、［１］に記載の界面活性剤濃縮物。
［９］  液体界面活性剤組成物を形成するために、水が添加されている、［１］に記載の界面活性剤濃縮物。
［１０］  界面活性剤濃縮物は、液体界面活性剤組成物の全重量を基準として約３０重量％〜約９０重量％の量で存在する、［９］に記載の界面活性剤組成物。
［１１］  凝固点は１５℃未満である 、［９］に記載の界面活性剤組成物。
［１２］  凝固点は０℃未満である、［９］に記載の界面活性剤組成物。
［１３］  ２５℃での粘度は２０００ｃｐｓ未満である、［９］に記載の界面活性剤組成物。
［１４］  ２５℃での粘度は１０００ｃｐｓ未満である、［９］に記載の界面活性剤組成物。
［１５］  界面活性剤濃縮物は、乳化重合反応またはポリマー分散液の全重量を基準として約０．３重量％〜約１０重量％の量で乳化重合反応またはポリマー分散液に添加されている、［１］に記載の界面活性剤濃縮物。
［１６］  液体界面活性剤組成物は、乳化重合反応またはポリマー分散液の全重量を基準として約０．３重量％〜約１０重量％の量で乳化重合反応またはポリマー分散液に添加されている、［９］に記載の界面活性剤組成物。
［１７］  一般式（Ｖ）：
【化３】
2010506720.tif 000007
〔式中、Ｒ１は、基１個あたり約２〜約８個の平均分枝を有する、飽和または不飽和の分枝状Ｃ６〜２２基であり、ｎは０〜約１００の値を表し、また、Ａはメチル基、ブチル基およびベンジル基からなる群から選択される〕
で示される化合物、および一般式（ＶI）：
【化４】
2010506720.tif 000008
〔式中、Ｒ２は飽和または不飽和のＣ８〜１６基であり、ｘおよびｙはそれぞれ０〜１００の値を表し、ｘとｙの合計は少なくとも１〜１００の値を表し、また、Ａはメチル基、ブチル基およびベンジル基からなる群から選択される〕
で示される化合物を含む、全重量を基準として約０．３重量％〜約１０重量％の反応生成物をエマルションポリマーまたはポリマー分散液に添加する工程
を含んでなる、エマルションポリマーまたはポリマー分散液の安定化方法。
［１８］  全重量を基準として約０．５重量％〜約５重量％の反応生成物を添加する、［１７］に記載の方法。
［１９］  全重量を基準として約０．５重量％〜約１重量％の反応生成物を添加する、［１７］に記載の方法。